(57)【要約】【課題】  工事をまったく必要とせず、素人でも簡単に移動、設置できる間仕切として使用できる物入れを提供する。【解決手段】  底部には簡単に移動、固定するための出し入れ自由のキャスターが付けてあり、天頂部には上下に動かして天井に密着させて固定させることのできるアジャスター機能を持った枠体が取り付けてあり、何個か組み合わせて部屋の間仕切りとして使用できる縦、横、高さがそれぞれ８０ｃｍ、７７ｃｍ、２１０ｃｍ程の物入れ。【選択図】図１
0003136324.tif 000002
【実用新案登録請求の範囲】
【請求項１】
大型集合住宅などサイズ的に規格化された住宅において、大きな部屋を任煮の位置で仕切るための間仕切りとして数個組み合わせて使用できる縦、横、高さが、それぞれ８０ｃｍ、７７ｃｍ、２１０ｃｍ程の直方体の物入れで、底部にはこの物入れを簡単に移動、固定するために上げ下げできるキャスターのような移動手段を具備し、天頂部には物入れの位置を決めて固定した後、部屋の天井までせり上げて天井との隙間を塞いで仕切るための５ｃｍ程上下できるアジャスター機構を持った枠体が取り付けてあり、その枠体は両室間の音や空気の流れを遮断すると同時に地震時に物入れの転倒を防ぐためのツッパリとしても機能することを特徴とする可搬式間仕切り用物入れ。
【請求項２】
数個合わせて間仕切りとして使用する再に物入れ同志の間にできる隙間を埋めるように物入れの幅を２ｃｍ程変化させることのできるアジャスター機構を持った横板が備えてあることを特徴とする請求項１記載の可搬式間仕切り用物入れ。
【考案の詳細な説明】
【技術分野】
【０００１】  簡単に移動、固定できて部屋の間仕切りとして使用することができる物入れに関する。
【背景技術】
【０００２】  多数の世帯が住む大型集合住宅などの場合、戸別の入居者の好み、生活様式、家族数等に対応した間仕切りを各戸毎に行うことは困難であった。また一旦入居した後も、家族数の変化等に伴って間仕切りを変更したい場合が往々にして発生した。【０００３】  既存の間仕切り壁を取り外したり、新たに間仕切り壁をこしらえたりする場合、必ず工事が伴い多大な費用が必要であった。天井に取り付けるガイドレールによって間仕切壁を移動できる移動式間仕切壁を予め設置しておくことはできるが、設置した後、ガイドレールを任意の場所に簡単に移し変えることはできなかった。また物入れが少ないと言う問題は絶えずあった。
【考案の開示】
【考案が解決しようとする課題】
【０００４】  工事をまったく必要とせず、素人でも簡単に移動、設置できる間仕切として使用できる物入れを提供する。
【課題を解決するための手段】
【０００５】  本考案は上記問題に鑑みてなされたものであり、底部には簡単に移動、固定するための出し入れ自由のキャスターが付けてあり、天頂部には上下に動かして天井に密着させて固定させることのできるアジャスター機能を持った枠体が取り付けてあり、何個か組み合わせて部屋の間仕切りとして使用できる縦、横、高さがそれぞれ８０ｃｍ、７７ｃｍ、２１０ｃｍ程の物入れ。
【考案の効果】
【０００６】  本考案の可搬式間仕切り用物入れを使用すれば、部屋の任意の位置に素人でも簡単に自由に間仕切りが設置でき、かつ物入れとしても使用できるので、住居に住み始めた後、家族数の増減等によって生じる生活様式の変化に対応することができる。
【考案を実施するための最良の形態】
【０００７】  一個の大きさは縦、横、高さがそれぞれ８０ｃｍ、７７ｃｍ、２１０ｃｍ程の、一面に扉が付けてある直方体の物入れで、それを何個か組み合わせて部屋の間仕切りとして使用する。横幅は想定される部屋の幅を等分したものより少し小さ目に作ってあり、組み合わせて設置した後にできる隙間は、物入れの側面の横板が横方向に張り出せるように、横板にアジャスター機能を持たせてあって、それを使って調節する。【０００８】  底部の８ｃｍ程の高さの地板の内側の４隅にはキャスターが取り付けてあり、レバー操作により、キャスターを上下に移動させ、固定することができるようになっており、キャスターを上げた時は床に接触せず、下げた時は地板より１ｃｍ程下に出て、物入れの重量を支え、物入れを容易に移動できるようにしてある。【０００９】  天頂部の枠体は最大で５ｃｍ程上下できるようになっている。まず部屋の床から天井までの内寸は部屋によって多少異なるし、床にカーペット等敷き詰めた場合、内寸は数ｍｍ小さくなる。更に物入れを移動させる時はキャスターを地板より下に１ｃｍ程出す必要があるし、物入れの天頂部と天井との間には少し隙間が無ければ移動できない。従って天頂部の枠体は上下に動かして物入れの高さを調整できるようになっている。また設置した後は床と物入れの間、物入れと天井の間の両部屋に面した部分に隙間があってはならない。物入れの位置が確定した後、キャスターを上げて物入れを床まで下げ、地板を床に接触させ、次に天頂部の枠体をせり上げて天井に接触させて固定する。
【実施例】
【００１０】  本考案の可搬式間仕切り用物入れを図面に基づいて説明すると、図１は物入れ１の全体を示す概念図で手前にある両開きの扉を外した場合を示してある。物入れの底部の底板も外し、底周りの地板２の内側にキャスター３が取り付けてあるのが見えるようにしてある。天頂部の枠体４は物入れ１の天頂部の内側に内接して上下させることができるようにしてある。【００１１】  キャスターの部分の斜視図が図２に、横から見た図が図３に示してある。キャスターの車３−１は長い支持棒５により保持されており、支持棒５は支点６を中心に回動するようになっており、支点６は地板２に固定してある。支持棒５の支点６から見て車３−１の反対側を上に持ち上げると、車３−１は下に下がり、床を押しつけて物入れを持ち上げるようになる。ストッパー７を上に起こして支持棒を上に持ち上げた状態に固定できる。その状態が図３に点線で示してある。【００１２】  物入れの天頂部の斜視図が図４に、それの中心部のみを横から見た図が図５に、示してある。枠体４は物入れ１に内接して上下に移動させて止めることができる。枠体の中心には中心棒８があり、それに対応して物いれの天頂の中心には梁棒９が取り付けてあり、中心棒８と梁棒９はボルト１０により連結されている。ボルト１０は梁棒９を貫通して、その下端にはボルトを回転するためのハンドル１１が取り付けてある。梁棒９にはボルトを保持するためのナットが固定してある。【００１３】  ハンドルを回転させることにより枠体の中心棒を上下に動かせる。ハンドルの回転により上下する中心棒は枠体と一体になっており、物入れに内接しながら枠体も同時に上下する。枠体の上下動に支障の無いよう、枠体が梁棒にぶつかる部分はコの字形の切り欠１２がつけてある。【００１４】  物入れを部屋の間仕切りとして並べて設置する作業を進めるに当たり、物入れ同士の間に多少のゆとりが無ければ作業はできないが、作業完了時に隙間が残るのは不都合である。従ってどれかの物入れの横壁の一部に隙間を埋めるための仕掛けを施しておくのが良い。図６の斜視図、図７の横方向に切った断面図に示すように横壁の一部を横に張り出せるように、張り出し部１３が横壁に取り付けてあり、それの縦方向の中間に２箇所ほどボルトナットを利用したアジャスター機構１４がセットされている。ボルトを内側からドライバーで回転させると張り出し部１３が横にせり出していく。【００１５】  図示はしないが、物入れと同じ幅と高さを持ったフレームにドアを取り付けたものを用意し、これら物入れと組み合わせることにより、部屋を仕切って２部屋にした後、２部屋間を行き来することができるようにしても良い。
【産業上の利用可能性】
【００１６】  以上述べてきたように、本考案の物入れに拠れば、素人でも簡単に部屋の間仕切りをすることができる。また間仕切りが不要になった折でもこの物入れを部屋の壁に、あるいは部屋の隅に移動させて引き続き物入れとして利用できる。
【図面の簡単な説明】
【００１７】
【図１】全体を示す概念図
【図２】キャスター部分の斜視図
【図３】キャスター部分を横から見た図
【図４】天頂部の斜視図
【図５】天頂部の中心部のみを横から見た図
【図６】横壁の張り出し部の斜視図
【図７】張り出し部の断面図
【符号の説明】
【００１８】    １  物入れ
２  地板
３  キャスター
３−１  車
４  枠体
５  支持棒
６  支点
７  ストッパー
８  枠体の中心棒
９  物入れの梁棒
１０  ボルト
１１  ハンドル
１２  コの字形の切り欠き
１３  横壁の張り出し部
１４  アジャスター機構
【図１】
0003136324.tif 000003
【図２】
0003136324.tif 000004
【図３】
0003136324.tif 000005
【図４】
0003136324.tif 000006
【図５】
0003136324.tif 000007
【図６】
0003136324.tif 000008
【図７】
0003136324.tif 000009